(57)【特許請求の範囲】
【請求項１】
プラントの監視情報を格納した監視情報データベース、
プラントの操作情報を格納した操作情報データベース、
監視対象機器のパターンである原因、結果及び運転手順である処置並びに上記パターンそれぞれに関する内容であるデータ項目を上記運転手順の順番とともにワードプロセッサを用いて格納するための運転手順データベースを備え、
上記運転手順データベースに上記データ項目を上記運転手順の順番とともに入力するとともに、上記入力したデータ項目と一致する上記監視情報データベースの監視情報及び上記操作情報データベースの操作情報を上記監視情報データベース及び操作情報データベースから検索し抽出し、上記データ項目と、上記データ項目と一致する上記監視情報データベースの監視情報及び上記操作情報データベースの操作情報とを記載した画面表示のための画面表示用データベースを作製し、上記画面表示用データベースを汎用パソコン向けアプリケーションのデータベースソフトウェアを用いてテキストデータに変換するデータベース管理用パソコン、
上記監視対象機器から上記監視情報の信号の値及び上記操作情報の信号の値を取り込むプラント制御装置、
上記テキストデータに変換した上記画面表示用データベースの上記データ項目、監視情報及び操作情報を取り込み、上記画面表示用データベースから取り込んだ上記データ項目を監視操作画面の手順内容の表示エリアに、上記取り込んだ監視情報を上記監視操作画面の監視情報表示エリアに、上記取り込んだ操作情報を上記監視操作画面の操作情報の表示エリアにそれぞれ表示し、上記プラント制御装置を介して上記監視情報の信号の値及び上記操作情報の信号の値を収集し、該収集した上記監視対象機器の監視情報の信号の値を上記監視情報表示エリアに、上記プラント制御装置を介して収集した上記操作情報の信号の値を上記操作情報の表示エリアにそれぞれ表示するプラント運転監視装置を備えたことを特徴とするプラント監視・操作システム。
【請求項２】
上記操作情報データベースに、常に監視しなければならない情報である関連監視情報の項目欄を追加して、上記監視情報データベースの中の常に監視しなければならない監視情報を上記関連監視情報の項目欄に入力し、上記プラント運転監視装置は、上記プラント制御装置を介して上記関連監視情報の項目欄に入力した常に監視しなければならない監視情報に関する上記監視対象機器の信号の値を収集し、上記監視操作画面上の上記監視情報の表示エリアに上記収集した常に監視しなければならない監視情報に関する上記監視対象機器の信号の値を表示するようにしたことを特徴とする請求項１記載のプラント監視・操作システム。
【請求項３】
上記操作情報データベースに、上記入力した運転手順の操作に引き続いて行う可能性がある情報である関連操作情報の項目欄を追加して上記関連操作情報を入力し、上記プラント運転監視装置は、上記プラント制御装置を介して上記運転手順の操作に引き続いて行う可能性がある情報である上記関連操作情報に関する上記監視対象機器の信号の値を収集し上記監視操作画面上の上記操作情報の表示エリアに表示するようにしたことを特徴とする請求項１記載のプラント監視・操作システム。
【請求項４】
上記プラント運転監視装置は、上記運転手順データベースの運転手順の順番と異なる順番で上記操作データの操作が行われた場合に、上記監視操作画面上に警告メッセージを表示することを特徴とする請求項１記載のプラント監視・操作システム。
【請求項５】
上記運転手順データベースに操作すべき操作結果の項目欄を追加して操作すべき内容を記載し、上記プラント運転監視装置は、上記プラント制御装置を介して上記操作すべき内容に関する上記監視対象機器の操作情報を収集し、上記収集した上記監視対象機器の操作情報が上記運転手順データベースの操作すべき内容と異なる場合に、上記監視操作画面上に警告メッセージを表示することを特徴とする請求項１記載のプラント監視・操作システム。
【請求項６】
上記プラント運転監視装置は、上記操作情報の表示エリアにおいて、操作が完了した操作情報を色替えして表示することを特徴とする請求項１記載のプラント監視・操作システム。
【請求項７】
上記プラント運転監視装置は、上記操作情報の表示エリアに操作情報の表示をする際に、操作した内容と上記運転手順データベースの操作すべき内容とが一致しているかどうかを判定し、一致した場合に、次に操作する操作情報を表示するようにしたことを特徴とする請求項５記載のプラント監視・操作システム。
【請求項８】
上記運転手順データベースに上記監視機器の状態に対する注意を促す注意情報を記載する注意情報欄を設け、上記画面表示用データベースは上記注意情報を含み、上記監視操作画面上に上記注意情報を呼び出すためのボタンが設けられ、上記ボタンが押された場合に、上記プラント運転監視装置は上記注意情報を上記監視操作画面上に表示するようにしたことを特徴とする請求項１記載のプラント監視・操作システム。
【請求項９】
上記運転手順データベースに他の運転員に連絡する連絡情報を記載する連絡情報欄を設け、上記画面表示用データベースは上記連絡情報を含み、上記監視操作画面上に上記連絡情報を呼び出すためのボタンが設けられ、上記ボタンが押された場合に、上記プラント運転監視装置は上記連絡情報を上記監視操作画面上に表示するようにしたことを特徴とする請求項１記載のプラント監視・操作システム。
【請求項１０】
上記運転手順データベースに警報名称を記載する関連警報欄を設け、上記画面表示用データベースは上記警報名称と上記警報名称に該当する運転手順の内容とを含み、上記プラント運転監視装置は、上記プラント制御装置から上記警報名称の警報を受信し、上記警報名称と上記警報名称に該当する運転手順の内容とを上記監視操作画面上に表示するようにしたことを特徴とする請求項１記載のプラント監視・操作システム。
【発明の詳細な説明】
【技術分野】
【０００１】
本発明は、発電プラント等の大規模プラントにおいて、文書形態の運転手順書の内容をベースとしたプラント運転監視装置の画面表示の製作を行い、文書形態の運転手順書をベースとしてプラントの監視及び制御の操作を行うことができるようにしたプラント監視・操作システムに関するものである。
【背景技術】
【０００２】
従来のプラント監視・操作システムにおいては、プラントの運転手順書の内容と運転手順書の中で監視すべきパラメータや操作すべき機器とを一括して画面表示する場合、手順書の項目毎に専用の画面表示を製作しなければならない。発電プラント等の大規模プラントでは、運転手順書の分量が多いため、その分量に比例して表示すべき画面の枚数も増える。
【０００３】
プラント監視・操作システムにおける画面を表示するためのプラント監視・操作用計算機は、２４時間連続運転など、高い信頼性が要求されるため、汎用の計算機ではなく、専用に開発された計算機を用いることが多い。一方、文書の運転手順書については、例えば、特許文献１あるいは特許文献２に開示されているように、汎用のパソコン上でワードプロセッサを用いて作成する。
【０００４】
【特許文献１】特開平７−２６１８３０号公報（第１頁、図１）
【特許文献２】特開平１０−１２４１３６号公報（第３頁、図１）
【発明の開示】
【発明が解決しようとする課題】
【０００５】
プラント監視・操作用計算機では、ワードプロセッサのデータを読み込むことができないため、運転表示画面の製作時にはワードプロセッサのデータをもとにしてプラント監視・操作用計算機に入力し直す必要があり、入力のための作業工数が増加する。また、入力した内容が正しいかどうかを調べるために、ワードプロセッサの運転手順書との照合チェックが必要になり、運転表示画面の製作の全体コストは莫大なものとなるという問題がある。
【０００６】
また、プラント監視・操作システムにおける運転表示画面では、監視すべきパラメータの数値や、操作すべき機器（以下、操作器という）の表示を、運転手順書と同時に表示することで、より有効な画面となるが、その運転表示画面を実現するためには、人手により、運転手順書の文書から、パラメータや操作器の記載箇所を抽出し、個々の画面に配置していくことが必要になり、また、一般的に、運転手順書の文書の中では、パラメータや操作器は正式名称で記載されるが、プラント監視・操作用計算機内では、アルファベットの記号列で管理されるため、ワードプロセッサのデータをテキスト形式に変換しても、そのまま画面表示で用いることはできないという問題がある。
【０００７】
さらに、プラント監視・操作システムを納入した後に運転手順書の内容は改訂が加えられていくが、その都度、運転手順書のワードプロセッサのデータの改訂と、運転表示画面側の変更が必要になり、保守工数が増大するという問題がある。
【０００８】
本発明は上記のような問題を解決するものであり、パーソナルコンピュータ上で編集する運転手順書のデータと、プラント監視システムで表示する運転手順ガイダンスのデータとを一つのデータベースで共有化し、プラント監視・制御システム上で共有化したデータベースの内容を読み込むことにより運転表示画面の表示を可能とするプラント監視・操作システムを提供することを目的とする。
【課題を解決するための手段】
【０００９】
本発明に係るプラント監視・操作システムは、プラントの監視情報を格納した監視情報データベース、
プラントの操作情報を格納した操作情報データベース、
監視対象機器のパターンである原因、結果及び運転手順である処置並びに上記パターンそれぞれに関する内容であるデータ項目を上記運転手順の順番とともにワードプロセッサを用いて格納するための運転手順データベースを備え、
上記運転手順データベースに上記データ項目を上記運転手順の順番とともに入力するとともに、上記入力したデータ項目と一致する上記監視情報データベースの監視情報及び上記操作情報データベースの操作情報を上記監視情報データベース及び操作情報データベースから検索し抽出し、上記データ項目と、上記データ項目と一致する上記監視情報データベースの監視情報及び上記操作情報データベースの操作情報とを記載した画面表示のための画面表示用データベースを作製し、上記画面表示用データベースを汎用パソコン向けアプリケーションのデータベースソフトウェアを用いてテキストデータに変換するデータベース管理用パソコン、
上記監視対象機器から上記監視情報の信号の値及び上記操作情報の信号の値を取り込むプラント制御装置、
上記テキストデータに変換した上記画面表示用データベースの上記データ項目、監視情報及び操作情報を取り込み、上記画面表示用データベースから取り込んだ上記データ項目を監視操作画面の手順内容の表示エリアに、上記取り込んだ監視情報を上記監視操作画面の監視情報表示エリアに、上記取り込んだ操作情報を上記監視操作画面の操作情報の表示エリアにそれぞれ表示し、上記プラント制御装置を介して上記監視情報の信号の値及び上記操作情報の信号の値を収集し、該収集した上記監視対象機器の監視情報の信号の値を上記監視情報表示エリアに、上記プラント制御装置を介して収集した上記操作情報の信号の値を上記操作情報の表示エリアにそれぞれ表示するプラント運転監視装置を備えたものである。
【発明の効果】
【００１０】
本発明に係るプラント監視・操作システムによれば、プラント運転監視装置では、個々の運転操作に対して、画面表示用のデータを作り込む必要はなく、データベース管理用パソコンから画面表示用データベースにデータを読み込むことによって、運転手順内容と、その運転手順内容に対応した監視情報と、操作情報とを集約して監視操作画面上に表示することができる。
【００１１】
また、画面表示用データベースは、運転手順データベースから、機械的に生成することができ、文書形式の運転手順書も、運転手順データベースから生成できるので、運転手順データベースを改訂すれば、文書形式の運転手順書及び監視操作画面に改訂が反映され一元管理することができる。
【００１２】
また、文書形式の運転手順書及び監視操作画面両者の整合性についての確認が不要となり、試験時間を大幅に短縮することができる。
【発明を実施するための最良の形態】
【００１３】
実施の形態１．
図１は、本発明に係るプラント監視・操作システムの実施の形態１を示す構成図である。
図１において、データベース管理用パソコン１１では、ワードプロセッサを用いて運転手順の内容に関するデータ項目を運転手順データベース２１に入力するとともに、プラントの監視情報を格納した監視情報データベース３１と、プラントの操作情報を格納した操作情報データベース３２を実装し、運転手順データベース２１と、監視情報データベース３１と、操作情報データベース３２とから、画面表示用データベース２２を生成する。
【００１４】
運転手順書出力用パソコン１２では、運転手順データベース２１を取り込み、ある定型のフォーマットによる文書形式の運転手順書４１を表示するとともに、文書形式の運転手順書４１をプリンタ１５に出力する。
【００１５】
プラント運転監視装置１３は、プラント制御装置１４と接続しており、監視情報データベース３１にある監視情報をプラント制御装置１４から収集して監視操作画面１６の監視情報エリア１６２に表示するとともに、操作情報データベース３２にある操作情報をプラント制御装置１４から収集して、監視操作画面１６の操作情報エリア１６３に操作すべき機器を表示し、また、画面表示用データベース２２の情報を読み込み、手順内容表示エリア１６１に手順書内容を表示する。
【００１６】
監視情報データベース３１と、操作情報データベース３２は、あらかじめ準備されたものであり、データベース管理用パソコン１１と、プラント運転監視装置１３との双方に対して共有されるデータベースとして実装されている。
【００１７】
本実施の形態１の動作について説明する。
データベース管理用パソコン１１では、運転手順データベース２１の各項目について入力を行う。図１では、Ａポンプトリップの例で示している。
運転手順データベース２１の項目２１１では、手順項目の分類（パターン（原因、結果、処置））を記載する。項目２１２では、操作順番を記載する。項目２１３では、操作内容を記載する。
【００１８】
運転手順書出力用パソコン１２は、運転手順データベース２１をそのまま読み込み、汎用パソコン向けアプリケーションのワードプロセッサソフトウェアや、データベースソフトウェアを用いて、ある定型のフォーマットで文書形態の運転手順書４１を出力する。
【００１９】
データベース管理用パソコン１１は、運転手順データベース２１の入力が完了した後、監視情報データベース３１及び操作情報データベース３２を検索し、運転手順データベース２１の項目２１１，２１２，２１３の内容を画面表示用データベース２２の項目欄２２１，２２２，２２３に記載するとともに、運転手順データベース２１の項目欄２１３の内容と一致する監視情報名称３１１の符号及び操作情報名称３２１の符号を検索し、検索した符号を画面表示用データベース２２の項目欄２２４，２２５に記載して運転手順データベース２１の項目２１３の内容を符号に自動変換する変換処理機能を有する。
【００２０】
具体的には、項目欄２１３の内容で、監視情報データベース３１の監視情報名称３１１，３１２と一致するものを検索し、一致した場合に、画面表示用データベース２２の項目欄２２３に項目欄２１３の内容を記載し、画面表示用データベース２２の項目欄２２４に、監視情報名称３１１の符号を記載する。また、項目２１３の内容で、操作情報データベース３２の操作情報名称３２１，３２２と一致するものを検索し、一致した場合に、項目欄２２５に、項目２１３の内容と一致する操作情報名称３２１の符号を記載する。
【００２１】
次に、汎用パソコン向けアプリケーションのデータベースソフトウェアを用いて、画面表示用データベース２２をテキストデータに変換し、プラント運転監視装置１３はテキストデータに変換した画面表示用データベース２２を取り込む。
【００２２】
プラント運転監視装置１３は、項目欄２２３の内容を、項目欄２２１と項目欄２２２の情報で並び替えし、整列して、プラント運転監視装置１３が有する監視操作画面１６の手順内容表示エリア１６１に表示する。また、項目欄２２４に記載されている符号に該当する信号の値（監視情報）をプラント制御装置１４を介して監視情報データベース３１から収集して監視情報表示エリア１６２に表示する。さらに、項目欄２２５に記載されている符号に該当する操作器及び操作情報をプラント制御装置１４を介して操作情報データベース３２から収集して操作情報エリア１６３に表示する。
【００２３】
以上のように、本実施の形態１によれば、プラント運転監視装置１３では、個々の運転操作に対して、画面表示を作り込む必要はなく、データベース管理用パソコン１１から画面表示用データベース２２にデータを読み込むことによって、運転手順内容と、その運転手順内容に対応した監視情報と、操作情報とを集約して監視操作画面１６上に表示することができる。
【００２４】
また、画面表示用データベース２２は、運転手順データベース２１から、機械的に生成することができ、文書形式の運転手順書４１も、運転手順データベース２１から生成できるので、運転手順データベース２１を改訂すれば、運転手順書４１及び監視操作画面１６に改訂が反映され一元管理することができる。
【００２５】
また、運転手順書４１及び監視操作画面１６両者の整合性についての確認が不要となり、試験時間を大幅に短縮することができる。
【００２６】
実施の形態２．
図２は、本発明に係るプラント監視・操作システムの実施の形態２を示す構成図である。
【００２７】
上記実施の形態１では、運転手順データベース２１の運転操作内容２１３と、監視情報データベース３１の運転操作内容２１３と一致する監視情報と、操作情報データベース３２の運転操作内容２１３と一致する操作情報とに基づいて、画面表示用データベース２２を作製する場合を示したが、運転手順書には、最低限必要な監視情報しか記載しておらず、他にも監視すべき情報は存在する。
【００２８】
本実施の形態２では、図２に示したように、操作情報データベース３２に、常に監視しなければならない関連監視情報３２３の項目欄を追加している。
【００２９】
プラント運転監視装置１３は、画面表示用データベース２２の各項目欄を監視操作画面１６に表示する際に、操作情報データベース３２の関連監視情報３２３をプラント制御装置１４を介して取得して、監視情報表示エリア１６２に表示する。
【００３０】
本実施の形態２によれば、関連監視情報３２３の項目欄を追加しているので、常に監視しなければならない情報を監視操作画面１６に運転手順に関する情報とセットで表示することができ、運転員の負担を軽減することができる。
【００３１】
実施の形態３．
図３は、本発明に係るプラント監視・操作システムの実施の形態３を示す構成図である。
【００３２】
上記実施の形態２では、操作情報データベース３２に、常に監視しなければならない関連監視情報３２３の項目欄を追加した場合を示したが、本実施の形態３では、操作情報データベース３２に運転手順書に記載の操作に引き続いて行う可能性がある関連操作情報３２４を追加している。
【００３３】
プラント運転監視装置１３は、画面表示用データベース２２の各項目欄を監視操作画面１６に表示する際に、操作情報データベース３２の関連操作情報３２４をプラント制御装置１４を介して取得して、操作情報エリア１６３に表示する。
【００３４】
本実施の形態３によれば、運転手順書には記載がないが、緊急時に運転手順書の操作に引き続いて操作する可能性がある操作器を同時に表示することができるので、緊急時における対応操作の負担を軽減することができる。
【００３５】
実施の形態４．
図４は、本発明に係るプラント監視・操作システムの実施の形態４を示す構成図であり、運転表示画面の構成を示している。
【００３６】
上記実施の形態１では、運転手順データベース２１の運転操作内容２１３と、監視情報データベース３１の運転操作内容２１３と一致する監視情報と操作情報データベース３２の運転操作内容２１３と一致する操作情報とに基づいて、画面表示用データベース２２を作製する場合を示したが、本実施の形態４では、運転手順データベース２１の運転操作内容２１３に基づいて、運転手順データベース２１の順番と異なる順番で操作した場合に、図４に示したように、操作器の操作順番をプラント運転監視装置１３がチェックし、警告メッセージ１６４を表示するようにしている。
【００３７】
本実施の形態４によれば、操作器の操作順番の誤りを防止することができる。
【００３８】
実施の形態５．
図５は、本発明に係るプラント監視・操作システムの実施の形態５を示す構成図であり、運転表示画面の構成を示している。
【００３９】
上記実施の形態４では、運転手順データベース２１の順番と異なる順番で操作器の操作をした場合に警告メッセージ１６４を表示するようにしたが、本実施の形態５では、図５に示したように、運転手順データベース２１に、操作器の操作結果を記載する項目欄２１４を追加している。
【００４０】
例えば、あるポンプを起動する場合には「起動」と記載することにより、順番だけでなく、操作内容が運転手順データベース２１の内容と一致しているかが、プラント運転監視装置１３によってチェックされ、一致していない場合に（図５では、運転すべきＢポンプが停止になっている）、プラント運転監視装置１３が警告メッセージ１６４を表示する。
【００４１】
本実施の形態５によれば、運転手順データベース２１の内容と異なる操作器の操作を防止することができる。
【００４２】
実施の形態６．
図６は、本発明に係るプラント監視・操作システムの実施の形態６を示す構成図であり、運転表示画面の構成を示している。
【００４３】
上記実施の形態５では、運転手順データベース２１の内容に基づいて操作を行う順番をチェックする機能を設けたが、本実施の形態６では、図６に示したように、プラント運転監視装置１３は上記実施の形態５のチェック結果を用いて、例えば、操作が完了した監視操作画面１６の運転手順表示エリア１６１のＮｏ．１及びＮｏ．２の操作手順を操作情報エリア１６３において色替え表示するようにしている。
【００４４】
本実施の形態６によれば、現在、どの操作手順まで運転操作を実施しているかが一目で分かり、また、ある運転操作を行わずに次の操作器の操作を行うことを防止することができる。
【００４５】
実施の形態７．
図７は、本発明に係るプラント監視・操作システムの実施の形態７を示す構成図であり、運転表示画面の構成を示している。
【００４６】
上記実施の形態５では、運転手順データベース２１の内容に基づいて、操作内容が運転手順データベースの内容と一致しているかどうかをチェックする機能を設けたが、本実施の形態７では、プラント運転監視装置１３が操作情報エリア１６３に操作情報の表示をする際に、操作内容と運転手順データベース２１の内容とが一致しているかどうかを判定し、図７（ａ）に示したように、一致した場合に、図７（ｂ）に示したように、次の操作情報を表示するようにしている。
【００４７】
本実施の形態７によれば、操作情報エリア１６３の表示により、次の操作器を選択する必要がなくなり、別の操作器を操作するミスを回避することができる。
【００４８】
実施の形態８．
図８は、本発明に係るプラント監視・操作システムの実施の形態８を示す構成図であり、運転手順データベースの構成（ａ）及び運転表示画面の構成（ｂ）を示している。
【００４９】
上記実施の形態１では、運転手順データベース２１の運転操作内容２１３と、監視情報データベース３１の運転操作内容２１３と一致する監視情報と、操作情報データベース３２の運転操作内容２１３と一致する操作情報とに基づいて、画面表示用データベース２１を作製する場合を示したが、本実施の形態８では、図８（ａ）に示したように、さらに、運転手順データベース２１に注意情報欄２１５を設け、また、監視操作画面１６に注意情報欄２１５の情報を呼び出すためのボタン１６５を設けている。
【００５０】
図８（ｂ）に示したように、ボタン１６５が押されると、プラント運転監視装置１３はウインドウ１６５で注意情報を表示する。
【００５１】
本実施の形態８によれば、限られた表示エリアの中で、ボタン１６５の操作により必要な場合のみ一時的に注意情報をウインドウ１６５で表示することができ、表示エリアを有効に活用することができる。
【００５２】
実施の形態９．
図９は、本発明に係るプラント監視・操作システムの実施の形態９を示す構成図であり、運転手順データベースの構成（ａ）及び運転表示画面の構成（ｂ）を示している。
【００５３】
上記実施の形態８では、運転手順データベース２１に注意情報欄２１５を設け、プラント運転監視装置１３の監視操作画面１６で必要時にウインドウ１６５をポップアップし、参照する機能を設けたが、本実施の形態９では、図９（ａ）に示したように、運転手順書４１に記載がないようなノウハウ等を記載する連絡情報欄２１６を運転手順データベース２１に設け、図９（ｂ）に示したように、監視操作画面１６に連絡情報を呼び出すためのボタン１６７を設けている。
【００５４】
図９（ｂ）に示したように、他の運転員に連絡情報がある場合にはボタン１６７を赤色表示するようにし、ボタン１６７を押すことにより、プラント運転監視装置１３は連絡情報をウインドウ１６８で表示するようにしている。
【００５５】
本実施の形態９によれば、他の運転員は、ボタン１６７を押すことにより、連絡情報２１６の内容を確認することができる。
【００５６】
さらに、運転手順データベース２１の操作内容２１３の内容を見直す際に、連絡情報２１６の内容を反映することにより、ノウハウ事項を運転手順書の内容に蓄積することができる。
【００５７】
実施の形態１０．
図１０は、本発明に係るプラント監視・操作システムの実施の形態１０を示す構成図である。
【００５８】
上記実施の形態１では、運転手順データベース２１の運転操作内容２１３と、監視情報データベース３１の運転操作内容２１３と一致する監視情報と、操作情報データベース３２の運転操作内容２１３と一致する操作情報とに基づいて、画面表示用データベース２１を作製する場合を示したが、運転手順データベース２１は、発電プラント等の大規模プラントでは、項目欄数が多くなるため、監視操作画面１６で参照すべき運転手順データベース２１を呼び出すのに多くの時間を要する場合がある。
【００５９】
特に、プラントの異常時に参照する運転手順データベースについては、早急に呼び出し監視操作画面１６に表示する必要がある。
【００６０】
本実施の形態１０では、図１０に示したように、運転手順データベース２１に関連警報欄２１７を設け、警報発生時に、自動的に対応する運転手順データベース２１を呼び出すことができるようにしている。
【００６１】
関連警報欄２１７の警報名称を監視情報データベース３１で検索し、警報名称に対応する監視情報名称３１１の符号を画面表示用データベース２２の関連警報欄２２６に挿入する。
【００６２】
プラント運転監視装置１３は、プラントに異常が発生した場合、プラント制御装置１４から警報信号５１を受信し、警報信号５１に基づいて、警報信号５１の警報名称に対応する関連警報２２６の信号を含む運転手順データベース２１の内容を記載した画面表示用データベース２２の内容に関する各情報を監視操作画面１６に自動表示する。
【００６３】
本実施の形態１０によれば、警報発生時に、多数の運転手順データベース２１の中から発生した警報に対応する運転手順データベース２１を自動的に抽出し、早急に運転手順データベースの内容を参照することができる。
【産業上の利用可能性】
【００６４】
本発明に係るプラント監視・操作システムは、発電プラント等の大規模プラントにおいて有効利用することができる。
【図面の簡単な説明】
【００６５】
【図１】本発明に係るプラント監視・操作システムの実施の形態１を示す構成図である。
【図２】本発明に係るプラント監視・操作システムの実施の形態２を示す構成図である。
【図３】本発明に係るプラント監視・操作システムの実施の形態３を示す構成図である。
【図４】本発明に係るプラント監視・操作システムの実施の形態４を示す構成図である。
【図５】本発明に係るプラント監視・操作システムの実施の形態５を示す構成図である。
【図６】本発明に係るプラント監視・操作システムの実施の形態６を示す構成図である。
【図７】本発明に係るプラント監視・操作システムの実施の形態７を示す構成図である。
【図８】本発明に係るプラント監視・操作システムの実施の形態８を示す構成図である。
【図９】本発明に係るプラント監視・操作システムの実施の形態９を示す構成図である。
【図１０】本発明に係るプラント監視・操作システムの実施の形態１０を示す構成図である。
【符号の説明】
【００６６】
１１  データベース管理用パソコン、１２  運転手順書出力用パソコン、
１３  プラント運転監視装置、１４  プラント制御装置、１５  プリンタ、
１６  監視操作画面、２１  運転手順データベース、２２  画面表示用データベース、
３１  監視情報データベース、３２  操作情報データベース、
４１  文書形式での運転手順書、５１  警報情報、１６１  手順内容表示エリア、
１６２  監視情報表示エリア、１６３  操作情報表示エリア、１６４  警告メッセージ、
１６５，１６７  ボタン、
２１１，２１２，２１３，２１４，２２１，２２２，２２３，２２４，２２５  項目欄、
２１５  注意情報欄、２１６  連絡情報欄、３１１，３１２  監視情報名称、
３２１，３２２  操作情報名称、３２３  関連監視情報、３２４  関連操作情報。
【図１】
0004531704.tif 000002
【図２】
0004531704.tif 000003
【図３】
0004531704.tif 000004
【図４】
0004531704.tif 000005
【図５】
0004531704.tif 000006
【図６】
0004531704.tif 000007
【図７】
0004531704.tif 000008
【図８】
0004531704.tif 000009
【図９】
0004531704.tif 000010
【図１０】
0004531704.tif 000011